(57)【要約】【課題】  ＨＤＤレコーダ等の録画機器に非常に多数の番組コンテンツが保存されている場合でも、所望する番組コンテンツを効率良く検索できる録画番組管理装置を提供する。【解決手段】  録画した放送番組の番組情報に基づいて、視聴する録画番組を選択可能な状態で表示させる表示制御手段を備えた録画番組管理装置において、表示制御手段は、録画番組の中からネットワーク情報（地上ディジタル放送、ＢＳ放送、ＣＳ放送等）が同一の録画番組を抽出して、複数のリスト枠の中に当該録画番組の情報を表示させた第１リスト表示画面を生成可能とし、番組コンテンツが提供された伝送経路、いわゆるネットワーク区分で録画番組をグループ化して、録画番組に関する情報をリスト表示できるようにした。【選択図】  図４
2007251903.tif 000002
【特許請求の範囲】
【請求項１】
録画した番組コンテンツの番組情報に基づいて、視聴する録画番組を選択可能な状態で表示させる表示制御手段を備えた録画番組管理装置であって、
前記番組情報には、番組コンテンツが提供されるのに使用された伝送経路を示すネットワーク情報と、番組コンテンツを提供している放送局を示す放送局情報と、が含まれ、
前記表示制御手段は、
前記録画番組の中からネットワーク情報が同一の録画番組を抽出して、複数のリスト枠の中に当該録画番組の情報を表示させた第１リスト表示画面を生成可能であるとともに、
前記第１リスト表示画面において、入力装置により所定の操作が行われた場合に、前記第１リスト表示画面に表示した録画番組の中から抽出した前記放送局情報が同一の録画番組を表示させた第２リスト表示画面を生成可能であり、
さらに、前記録画番組を、前記放送局情報に基づいて系列局毎にグループ化し、前記録画番組の中から前記グループ化された系列局情報が同一の録画番組を抽出して、複数のリスト枠の中に当該番組の情報を表示させた第３リスト表示画面を生成可能であることを特徴とする録画番組管理装置。
【請求項２】
録画した番組コンテンツの番組情報に基づいて、視聴する録画番組を選択可能な状態で表示させる表示制御手段を備えた録画番組管理装置であって、
前記番組情報には、番組コンテンツが提供されるのに使用された伝送経路を示すネットワーク情報が含まれ、
前記表示制御手段は、前記録画番組の中からネットワーク情報が同一の録画番組を抽出して、複数のリスト枠の中に当該録画番組の情報を表示させた第１リスト表示画面を生成可能であることを特徴とする録画番組管理装置。
【請求項３】
前記番組情報には、番組コンテンツを提供している放送局を示す放送局情報が含まれ、
前記表示制御手段は、前記録画番組の中から放送局情報が同一の録画番組を抽出して、複数のリスト枠の中に当該録画番組の情報を表示させた第２リスト表示画面を生成可能であることを特徴とする請求項２に記載の録画番組管理装置。
【請求項４】
前記表示制御手段は、前記第１リスト表示画面において、入力装置により所定の操作が行われた場合に、前記第１リスト表示画面に表示した録画番組の中から、前記放送局情報が同一の録画番組を抽出して、第２リスト表示画面を生成することを特徴とする請求項３に記載の録画番組管理装置。
【請求項５】
前記表示制御手段は、
前記録画番組を、前記放送局情報に基づいて系列局毎にグループ化し、前記録画番組の中から前記グループ化された系列局情報が同一の録画番組を抽出して、複数のリスト枠の中に当該番組の情報を表示させた第３リスト表示画面を生成可能であることを特徴とする請求項２から４の何れかに記載の録画番組管理装置。
【請求項６】
前記グループ化された系列局情報は、任意に設定変更可能であることを特徴とする請求項５に記載の録画番組管理装置。
【発明の詳細な説明】
【技術分野】
【０００１】
本発明は、ＨＤＤなどの大容量記憶装置を備えた録画機器において、録画した番組コンテンツの情報を視聴者に選択可能な状態で表示させる録画番組管理装置に関する。
【背景技術】
【０００２】
近年、ＨＤＤレコーダのように、大容量のＨＤＤ（ハードディスクドライブ）等を使用することによって、非常に多数の番組コンテンツを保存できるようにした録画機器が提供されている。このような録画機器により、受信した番組コンテンツをいったんＨＤＤに蓄積してから再生するというサーバ型放送が実現される。このサーバ型放送では、番組コンテンツとこれに関する仔細な追加情報とを、ＨＤＤなどの大容量記憶装置に保存するので、蓄積された番組コンテンツを予め指定した時刻から視聴できるようにしたり、追加情報を利用してシーン検索やダイジェスト視聴を行ったりすることが可能となる。
【０００３】
このようなサーバ型放送に対応可能な録画機器において、録画した番組コンテンツを再生する場合には、番組コンテンツを示すタイトルやサムネイルなどの情報を画面に表示させ、この画面で所望の番組コンテンツを視聴者に選択させるのが一般的であり、録画した番組コンテンツに関する情報を視聴者に提示するのに有用なＥＣＧ（Electronic Content Guide:電子コンテンツ表）に関する技術が開示されている（特許文献１〜３）。
【０００４】
従来は、例えば図９に示すように、番組コンテンツが録画された日時に基づいて新しい順に上からリスト表示されて、視聴者に番組コンテンツに関する情報が提供されている。また、特に、カーソルで選択されている番組コンテンツ９３ａについては、その詳細情報が別枠９２に表示されるようになっている。ここで、リスト表示される番組コンテンツの情報としては、当該番組コンテンツを視聴したか否かを示す情報ＳＩ１、録画日時情報ＳＩ２、番組タイトル情報ＳＩ３等がある。
【特許文献１】特開２００５−１９８０３９号公報
【特許文献２】特開２００４−３５７１８４号公報
【特許文献３】特開２００３−１８９２０７号公報
【発明の開示】
【発明が解決しようとする課題】
【０００５】
上述したように、近年の記憶媒体の大容量化に伴い、録画機器において保存できる番組コンテンツ数は、例えば５００個を超える場合があるなど非常に大きな数になっている。また、サーバ型放送が普及してくると、番組コンテンツが提供される伝送経路は、従来の地上ディジタル放送、ＢＳ放送、ＣＳ放送等の放送電波に限らず、インターネット通信が利用されることも考えられ、視聴者に提供される番組コンテンツはさらに増加するものと考えられる。
【０００６】
このように、録画した番組コンテンツが相当数におよぶ場合に、図９のように番組コンテンツに関する情報を録画日時順にリスト表示させると、このリスト表示は１画面で収まるはずもなく、数十ページや百ページ近くになることがありうる。したがって、録画機器に非常に多数の番組コンテンツが保存されている場合には、所望の番組コンテンツを検索すること自体が煩雑な作業になってしまう。
【０００７】
本発明は、ＨＤＤレコーダ等の録画機器に非常に多数の番組コンテンツが保存されている場合でも、所望する番組コンテンツを効率良く検索できる録画番組管理装置を提供することを目的とする。
【課題を解決するための手段】
【０００８】
本発明は、上記目的を達成するため、録画した放送番組の番組情報に基づいて、視聴する録画番組を選択可能な状態で表示させる表示制御手段を備えた録画番組管理装置であって、前記番組情報には、番組コンテンツが提供されるのに使用された伝送経路（地上ディジタル放送、ＢＳ放送、ＣＳ放送等）を示すネットワーク情報が含まれ、前記表示制御手段は、前記録画番組の中からネットワーク情報が同一の録画番組を抽出して、複数のリスト枠の中に当該録画番組の情報を表示させた第１リスト表示画面を生成可能としたものである。これにより、番組コンテンツが提供された伝送経路、いわゆるネットワーク区分で録画番組をグループ化して、録画番組に関する情報をリスト表示することができる。
【０００９】
さらに、前記番組情報には、放送番組を提供している放送局を示す放送局情報が含まれ、前記表示制御手段は、前記録画番組の中から放送局情報が同一の録画番組を抽出して、複数のリスト枠の中に当該録画番組の情報を表示させた第２リスト表示画面を生成可能であることを特徴とする。これにより、ネットワーク区分だけでなく、放送局区分でも番組コンテンツをグループ化して、録画番組に関する情報をリスト表示することができる。
【００１０】
また、前記表示制御手段は、前記第１リスト表示画面において、入力装置により所定の操作（例えば、リモコンの放送局区分ボタンの操作）が行われた場合に、前記第１リスト表示画面に表示した録画番組の中から、前記放送局情報が同一の録画番組を抽出して、第２リスト表示画面を生成することを特徴とする。これにより、ネットワーク区分でグループ化された録画番組を、さらに放送局区分でグループ化するので、所望する番組コンテンツを更に絞り込んでリスト表示することができる。
【００１１】
また、前記表示制御手段は、前記録画番組を、前記放送局情報に基づいて系列局毎（ＮＨＫ総合／教育系列、日本テレビ放送網系列、東京放送系列、フジテレビジョン系列、テレビ朝日系列、テレビ東京系列、等々）にグループ化し、前記録画番組の中から前記グループ化された系列局情報が同一の録画番組を抽出して、複数のリスト枠の中に当該番組の情報を表示させた第３リスト表示画面を生成可能であることを特徴とする。これにより、録画された番組コンテンツの中から所望する番組コンテンツを絞り込む手法として、系列局情報によるリスト表示を利用できる。
【００１２】
また、前記グループ化された系列局情報は、任意に設定変更可能であることを特徴とする。基本的にはＡＲＩＢ規格ＴＲ−Ｂ１４に準じて系列を代表する放送事業者によって区分すればよいが、視聴者によって系列局を設定可能としている。例えば、ＡＲＩＢ規格ＴＲ−Ｂ１４に従うと、ＮＨＫ総合とＮＨＫ教育は別の系列ＩＤを付与されて区別されているが、これらを統合してＮＨＫ系列とすることもできる。
【発明の効果】
【００１３】
本発明によれば、ＨＤＤレコーダ等の録画機器において、録画された番組コンテンツを、ネットワーク区分、放送局区分、或いは系列局区分でグループ化して、視聴者が所望する区分に該当する番組コンテンツを絞り込んでリスト表示させることができるので、非常に多数の録画番組が保存されていて、番組コンテンツに関する情報を録画日時順にリスト表示させたときに数十ページにも渡ってしまうような場合でも、視聴者が所望の番組コンテンツを効率良く絞り込んで検索することができるという効果がある。特に、サーバ型放送に対応したＥＣＧに適用して有用である。
【発明を実施するための最良の形態】
【００１４】
以下、本発明の実施の形態を図面に基づいて説明する。
【００１５】
図１は、本発明の実施の形態の録画番組管理装置を搭載した録画装置の全体構成を示すブロック図である。
【００１６】
本実施形態の録画装置１は、例えば地上ディジタル放送、ＢＳ放送、ＣＳ放送の３つの放送波を受信可能なハードディスクレコーダである。録画装置１は、アンテナ１０により受信した放送信号（地上ディジタル放送、ＢＳ放送、ＣＳ放送）を選択的に入力するディジタルチューナなどの受信部１１と、受信した放送データからコンテンツ情報（映像データおよび音声データ）と番組情報とを分離する番組情報分離部１２と、録画番組のコンテンツ情報や、録画番組の管理データとしての番組付帯情報（追加情報，メタデータ）などを記録する記憶媒体としてのハードディスク１３と、録画時に受信部１１側から送られてくるコンテンツ情報をハードディスク１３に書き込んだり再生時にハードディスク１３からコンテンツ情報を読み出したりするコンテンツ制御部１４と、再生又は放送受信したコンテンツ情報をデコードして映像信号と音声信号を生成するデコード部１５と、録画した番組コンテンツの番組情報を管理してハードディスク１３に書き込んだり読み出したりする番組情報管理制御部１６と、該番組情報管理制御部１６から番組コンテンツの管理データを受けて後述のメニュー画面や録画番組リストの表示画面の表示信号を生成するメニュー表示制御部１７と、デコード部１５やメニュー表示制御部１７からの表示信号を選択的に出力したり多重化して出力する多重化部１８、等を備えている。
【００１７】
これらの構成のうち、番組情報管理制御部１６とメニュー表示制御部１７により、本発明に係る表示制御手段が構成されている。なお、リスト表示画面の表示データを生成する構成は、主にＣＰＵが実行するソフトウェアにより構成され、それを表示信号に変換する構成はハードウェアにより構成されている。
【００１８】
コンテンツ制御部１４は、例えば、録画予約の制御や録画番組の削除処理（対象のコンテンツ情報をハードディスク１３から消去する処理）なども行うようになっている。また、リアルタイム操作による録画時や予約録画時には、番組情報管理制御部１６に番組録画することを通知して録画番組の番組情報を管理データに追加させる。また、録画番組の削除処理を行ったときにも、番組情報管理制御部１６に削除したことを通知して、対応する録画番組の番組情報を管理データから削除させる。
【００１９】
また、図示は省略するが、この録画装置１には、リモートコントローラ（以下、リモコンと呼ぶ）と、このリモコンからの信号を受信する受光器が設けられ、リモコン信号が番組情報管理制御部１６やコンテンツ制御部１４に送られるようになっている。リモコンには、メニューボタン、カーソル移動用の上下左右ボタン、決定ボタンのほか、種々の操作ボタンが設けられている。例えば、後述するネットワーク区分を切り換えるためのネットワーク切換ボタンや、放送局区分を切り換えるための放送局区分ボタンを設けている。
【００２０】
図２は、放送番組の番組情報の一例を示すデータチャートである。
【００２１】
番組情報管理制御部１６で管理される録画された番組コンテンツの番組情報は、ディジタル放送信号に含まれる番組付帯情報から取得される。地上ディジタル放送などでは、図２に示すように、トランスポートストリームと呼ばれるパケットデータにより、放送番組のコンテンツ情報（映像データや音声データ）が伝送されており、トランスポートストリームのパケットには、放送番組の各種情報が格納された番組付帯情報も含まれている。
【００２２】
この番組付帯情報のパケットには、放送番組の伝送経路を示すネットワーク情報、放送局を示す放送局情報、番組のタイトル情報や番組の詳細情報（出演者やストーリ紹介など）を示したテキストデータ、番組の放送時間に関するデータなど、種々の番組情報が格納されている。
【００２３】
なお、番組コンテンツの番組情報は、このトランスポートストリームに含まれる番組付帯情報から取得するのに限らず、例えば、放送信号やインターネットで配信されている電子番組表等から録画した番組コンテンツの番組情報を抽出することで取得するなど、種々の取得方法を適用することができる。
【００２４】
番組情報管理制御部１６は、上述した番組情報のうちコンテンツ制御部１４により録画された番組コンテンツの番組情報を管理してハードディスク１３の所定領域に格納し、必要なときにそれを読み出して各番組情報の中から所定情報を抽出してリスト配列したり、メニュー表示制御部１７に情報を送って所定形態の表示データを生成させたりする。
【００２５】
以下、図３〜図８を参照しながら、表示制御手段としての番組情報管理制御部１６とメニュー表示制御部１７により生成されるメニュー画面や録画番組リストの表示画面の内容について説明する。
【００２６】
図３は、録画番組管理表示のメニュー画面の一例を示す画像図である。本実施形態の録画装置１では、視聴者が例えば再生のために所定の番組コンテンツを検索する場合に、先ず、リモコンのメニューボタン等を押して所定操作を行うことにより、図３のような録画番組管理表示のメニュー画面３０が表示される。
【００２７】
このメニュー画面３０は、録画番組リストの表示方法を視聴者に選択させる画面であり、複数の表示方式の中から一つを選択させるための表示選択ボタン３１〜３８と、この画面を終了させる終了ボタン３９と、受け付けられるリモコンキーを示した説明表示４０とが、それぞれ表示されている。
【００２８】
表示選択ボタン３１〜３８には、例えば、録画日時順にリスト表示（通常の表示）させる選択ボタン３１と、ジャンル別にリスト表示させるの選択ボタン３２と、放送ネットワーク別・放送局別に表示させる選択ボタン３３と、系列局別にリスト表示させる選択ボタン３４と、番組タイトル名別にリスト表示させる選択ボタン３５と、放送時間帯別にリスト表示させる選択ボタン３６と、録画曜日別にリスト表示させる選択ボタン３７と、録画継続時間別にリスト表示させる選択ボタン３８とが設けられている。これらの表示方法のうち、ネットワーク別・放送局別による表示と、系列局別による表示が、本実施形態に独自の表示方法である。
【００２９】
この録画番組管理表示のメニュー画面３０において、視聴者がリモコンの上下ボタンを操作して何れかの選択ボタン３１〜３８を選択し、且つ、決定ボタンを押すことで、この選択決定したリスト表示画面に移行する。図３では、ネットワーク別・放送局別に表示させる選択ボタン３３がフォーカス（太線表示）され、選択された状態であることを示している。
【００３０】
図４は、録画日時順の録画番組リストの一表示例を示す画像図である。図３のメニュー画面３０において、例えば、「通常の表示」の選択ボタン３１が押下された場合に、図４に示す録画番組リストの表示画面５０に移行する。
【００３１】
図４に示す録画番組リストの表示画面５０は、最上部に配置された表示画面のタイトル表示枠５１と、録画番組のリスト表示が行われる画面中央から左下隅まで占める第１表示枠５３と、この第１表示枠４３の上部に配置され選択された番組コンテンツの詳細情報が表示される第２表示枠５２と、第１表示枠５３に表示されている番組コンテンツの中から所定の番組コンテンツが選択された場合（図４では最上位の番組コンテンツが選択）に選択可能とされる操作ボタン５４ａ〜５４ｅが表示されている第３表示枠５４と、で構成されている。
【００３２】
第１表示枠５３には、横長の複数のリスト枠５３ａ〜５３ｇが縦方向に配列されるとともに、各リスト枠５３ａ〜５３ｇにそれぞれの番組コンテンツの主要情報として、当該番組コンテンツを視聴したか否かを示す情報ＳＩ１、録画日時情報ＳＩ２、番組タイトル情報ＳＩ３、ネットワーク情報ＳＩ４、放送局情報ＳＩ５が表示される。
【００３３】
図４の録画番組リスト表示画面５０では、番組コンテンツは録画日時の新しい順に配列されており、視聴者はリモコンの上下ボタンを操作することで、リスト枠５３ａ〜５３ｇの選択を上下に移動させたり、リスト枠５３ａ〜５３ｇのページをスクロール或いはページ送りを行ったりすることができる。なお、選択されたリスト枠は文字と枠内の色が変ったり反転表示されたりすることで視聴者が認識できるようにされる（図４では反転表示により選択状態を示している）。従来のＥＣＧにおいては、このように録画日時順に番組コンテンツに関する情報がリスト表示されるのが一般的であった。
【００３４】
本実施形態では、図３のメニュー画面３０で示されるように、複数の表示形態でのリスト表示が可能であり、特に、ネットワーク別・放送局別に番組コンテンツをグループ化して、抽出された番組コンテンツに関する情報をリスト表示させるようにしている点が特徴的である。
【００３５】
つまり、本実施形態では、録画された複数の番組コンテンツの中からネットワーク情報、さらには放送局情報が同一の録画番組を抽出して、複数のリスト枠の中に当該番組コンテンツに関する情報を表示させることができる。
【００３６】
図５は、ネットワーク別の録画番組リストの一表示例を示す画像図である。例えば、図３のメニュー画面３０において、視聴者が「ネットワーク別、放送局別表示」の選択ボタン３３を操作した場合には、図５に示す録画番組リストの表示画面６０Ａに移行する。
【００３７】
図５に示す録画番組リストの表示画面６０Ａにおいて、タイトル表示枠６１および第１〜第３表示枠６２〜６４を備える点は、図４に示す録画番組リスト表示画面５０と同様である。図５の録画番組リスト表示画面６０Ａでは、さらに第４表示枠６５が設けられており、この第４表示枠に、抽出された番組コンテンツのネットワーク情報および放送局情報が表示されるようになっている。
【００３８】
図５では、第４表示枠６５のネットワーク情報欄に「ＢＳ」と表示されているので、第１表示枠６３に表示されている番組コンテンツはＢＳ放送より取得されたものであることを示している。また、第１表示枠のそれぞれのリスト枠６３ａ〜６３ｇにおいて、番組コンテンツのネットワーク情報ＳＩ４が「ＢＳ」となっていることからも確認できる。
【００３９】
このように、図３のメニュー画面３０において、「ネットワーク別・放送局別表示」の選択ボタン３３が操作されると、まず、ネットワーク情報によりグループ化され、抽出された番組コンテンツが表示されることとなる。
【００４０】
そして、この録画番組リスト表示画面６０Ａにおいて、例えばリモコンに設けられた「ネットワーク切換ボタン」を操作することで、ネットワーク情報が切り替わる。つまり、視聴者は「ネットワーク切換ボタン」を操作することで、所望する番組コンテンツを表示させることができる。例えば、「ネットワーク切換ボタン」を操作するごとに、ネットワーク情報を「ＢＳ→ＣＳ１→ＣＳ２→地上ディジタル→ＢＳ」のように順次切り換えるようにする。
【００４１】
なお、メニュー画面３０から移行してきて最初に表示される録画番組リスト表示画面６０Ａでは、前回の視聴において最後に視聴していた番組コンテンツのネットワーク情報が選択されるようにし、これに属する番組コンテンツが表示されるようにしている。また、ネットワーク情報に基づいて抽出された番組コンテンツは、録画日時に基づいて新しい順に上からリスト表示されるようにしている。
【００４２】
さらに、この録画番組リスト表示画面６０Ａにおいて、例えばリモコンに設けられた「放送局区分ボタン」を操作することで、放送局情報が設定される。つまり、視聴者は「放送局区分ボタン」を操作することで、所望する番組コンテンツを表示させることができる。例えば、図５の録画番組リスト表示画面６０Ａにおいて、「放送局区分ボタン」が操作された場合には、放送局情報によるグループ化がなされ、特定の放送局情報で絞り込まれた番組コンテンツが抽出されて、図６に示す録画番組リスト表示画面６０Ｂが表示されることとなる。
【００４３】
図６では、第４表示枠６５の放送局情報欄に「ＮＨＫ」と表示されているので、第１表示枠６３に表示されている番組コンテンツはＮＨＫのＢＳ放送より取得されたものであることを示している。また、第１表示枠のそれぞれのリスト枠６３ａ〜６３ｇにおいて、番組コンテンツの放送局情報ＳＩ５が「ＮＨＫ」となっていることからも確認できる。
【００４４】
なお、録画番組リスト表示画面６０Ａから移行してきて最初に表示される録画番組リスト表示画面６０Ｂでは、前回の視聴において最後に視聴していた番組コンテンツの放送局情報が選択されるようにし、これに属する番組コンテンツが表示されるようにしている。
【００４５】
上述したように、本実施形態では、録画された番組コンテンツをネットワーク情報で絞り込んだ録画番組リスト表示画面（第１リスト表示画面）６０Ａにおいて、所定の操作（「放送局区分ボタン」の操作）が行われた場合に、さらに放送局情報が同一の録画番組を抽出して、放送局情報で絞り込んだ録画番組リスト表示画面（第２リスト表示画面）６０Ｂを生成し、表示するようにしている。すなわち、ネットワーク区分でグループ化された録画番組を、さらに放送局区分でグループ化することで、所望する番組コンテンツを更に絞り込んでリスト表示することができるので、視聴者は所望する番組コンテンツを容易に検索することができ、検索効率が飛躍的に向上する。
【００４６】
また、本実施形態では、系列局別に番組コンテンツをグループ化して、抽出された番組コンテンツに関する情報をリスト表示させることもできる。つまり、録画された番組コンテンツを、放送局情報に基づいて系列局毎にグループ化し、録画番組の中から系列局情報が同一の録画番組を抽出して、複数のリスト枠の中に当該番組の情報を表示させることができる。
【００４７】
ここで、日本の放送局は、基本的にはＡＲＩＢ規格ＴＲ−Ｂ１４に準じて、系列を代表する放送事業者による系列局に区分することができる。したがって、番組情報に含まれる放送局情報に基づいて系列局情報を設定することができる。例えば、放送局「ＮＨＫ  ＢＳ１」や「ＮＨＫ総合」等はＮＨＫ総合系列として区分されるので、系列局情報として「ＮＨＫ総合」を設定できる。
【００４８】
なお、ＡＲＩＢ規格ＴＲ−Ｂ１４に従うと、ＮＨＫ総合とＮＨＫ教育は別の系列ＩＤを付与されて区別されているが、これらを統合してＮＨＫ系列としてもよい。また、視聴者によって系列局を任意に設定／削除できるようにしてもよい。
【００４９】
図７は、表示させる番組コンテンツの系列局を選択するための系列局リストの表示例を示す画像図である。例えば、図３のメニュー画面３０において、視聴者が「系列局別表示」の選択ボタン３４を操作した場合には、図７に示す系列局リストの表示画面７０に移行する。
【００５０】
図７の系列局リスト表示画面７０には、視聴者に所望する系列局を選択させるための複数の選択ボタン７１〜７７が設けられている。視聴者は、リモコンのカーソルボタンの操作により系列局の選択ボタン７１〜７７の何れかを選択決定することにより、選択した系列局に属する番組コンテンツだけを抽出して表示させることができる。
【００５１】
図８は、系列局別の録画番組リストの表示例を示す画像図である。例えば、図７の系列局リスト表示画面７０において、視聴者が「ＮＨＫ総合／教育」の選択ボタン７１を操作した場合に、図８に示す録画番組リスト表示画面８０に移行する。
【００５２】
図８に示す録画番組リストの表示画面８０において、タイトル表示枠８１および第１〜第３表示枠８２〜８４を備える点は、図４に示す録画番組リスト表示画面５０と同様である。
【００５３】
図８に示す表示画面８０では、第１表示枠８３にＮＨＫ系列の番組コンテンツ（ネットワーク不問）だけが表示されるようになっている。つまり、ＮＨＫ系列に属する放送局「ＮＨＫ  ＢＳ１」や「ＮＨＫ総合」等から提供された番組コンテンツだけが表示されることとなる。
【００５４】
このように、本実施形態では、録画された番組コンテンツを、放送局情報に基づいて系列局毎（ＮＨＫ総合／教育系列、日本テレビ放送網系列、東京放送系列、フジテレビジョン系列、テレビ朝日系列、テレビ東京系列、等々）にグループ化し、録画番組の中から系列局情報が同一の録画番組を抽出して、複数のリスト枠の中に当該番組の情報を表示させるので、視聴者は所望する番組コンテンツを容易に検索することができ、検索効率が飛躍的に向上する。
【００５５】
なお、本発明は、上記実施の形態に限られるものではなく、様々な変更が可能である。例えば、上記実施形態では、メニュー画面３０から所定の選択ボタンを選択することで、それぞれの録画番組リスト表示画面に移行するようにしたが、メニュー画面３０を介さずに一発で録画番組リスト表示画面に移行するようにしてもよい。また、録画番組リスト表示画面を出力させる操作はどのようなものであってもよい。
【００５６】
また、上記実施形態では、ネットワーク別、放送局別、または系列局別で抽出した番組コンテンツをリスト表示する場合に、録画日時順に縦方向に配列した例を示したが、例えば、番組のタイトルをあいうえお順に並べたリスト表示や、曜日順に並べたリスト表示、その他、種々の条件で並べたリスト表示としてもよい。
【００５７】
また、上記実施形態では、ネットワーク情報または放送局情報の切換操作をするのに専用のボタン（ネットワーク切換ボタン，放送局区分ボタン）を設けるようにしているが、従来のディジタルテレビジョン放送受像機等のリモコンに通常設けられているボタン（例えば、色ボタン等）に、その機能を割り当てるようにしてもよい。
【００５８】
また、番組コンテンツが提供される伝送経路は、地上ディジタル放送、ＢＳ放送、ＣＳ放送等の放送電波に限らず、インターネット通信を利用する場合もありうる。
【００５９】
その他、録画番組が保存される記憶媒体の種類、管理する番組情報を記録する媒体や記録方法など、実施の形態で示した具体的な構成は、発明の趣旨を逸脱しない範囲で適宜変更可能である。
【産業上の利用可能性】
【００６０】
本発明は、例えば、放送番組の録画機器に適用することができる。また、外部の録画機器を制御する機能を有したテレビ受像機やチューナ装置などの各種ＡＶ（オーディオビジュアル）装置に適用することもできる。
【図面の簡単な説明】
【００６１】
【図１】本発明の実施の形態の録画番組管理装置を搭載した録画装置の全体構成を示すブロック図である。
【図２】放送番組の番組情報の一例を示すデータチャートである。
【図３】録画番組管理表示のメニュー画面の一例を示す画像図である。
【図４】録画日時順の録画番組リストの表示例を示す画像図である。
【図５】ネットワーク別の録画番組リストの表示例を示す画像図である。
【図６】放送局別の録画番組リストの表示例を示す画像図である。
【図７】系列局を選択するための系列局リストの表示例を示す画像図である。
【図８】系列局別の録画番組リストの表示例を示す画像図である。
【図９】従来の録画装置で一般的に採用されている録画番組リストの表示例を示す画像図である。
【符号の説明】
【００６２】
１  録画装置
１０  アンテナ
１１  受信部（チューナ）
１２  番組情報分離部
１３  ハードディスク
１４  コンテンツ制御部
１５  デコード部
１６  番組情報管理制御部
１７  メニュー表示制御部
１８  多重化部
６０Ａ  ネットワーク別の録画番組リスト表示画面（第１リスト表示画面）
６０Ｂ  放送局別の録画番組リストの表示画面（第２リスト表示画面）
６１  タイトル表示枠
６２  第２表示枠
６３  第１表示枠
６３ａ〜６３ｇ  リスト表示枠
６４  第３表示枠
６５  第４表示枠（ネットワーク情報、放送局情報の表示枠）
【図１】
2007251903.tif 000003
【図２】
2007251903.tif 000004
【図３】
2007251903.tif 000005
【図４】
2007251903.tif 000006
【図５】
2007251903.tif 000007
【図６】
2007251903.tif 000008
【図７】
2007251903.tif 000009
【図８】
2007251903.tif 000010
【図９】
2007251903.tif 000011